(57)【要約】      （修正有）【課題】法面に設置されたアンカー管の先端部より押し出され、地中に四方に枝状に広がる棒状補強材を備えた法面保護用アンカーを提供する。【解決手段】先端周面に複数の開口５が形成され、開口５と連通する曲線状部をもつ受け面を有する誘導キャップ６を固定したアンカー管１と、アンカー管１内に挿入される外周面に複数本の鉄線２が配されたスペース棒３とよりなり、複数本の鉄線２を誘導キャップ６の曲線状部に沿ってアンカー管１の先端の開口５より押し出すことにより、鉄線２の先端を四方に拡開させながら地中に展開させる。【選択図】図２
2013241733.tif 000002
【特許請求の範囲】
【請求項１】
法面若しくは法枠に支持板を介して定着され地中に挿入されるアンカーであって、先端周面に複数の開口が形成され、該開口と連通する曲線状部となる受け面を有する誘導キャップを先端に固定した円筒状のアンカー管と、該アンカー管内に挿入される外周面に複数本の鉄線が配されたスペース棒とよりなり、前記鉄線を誘導キャップの曲線状部となる受け面に沿って前記アンカー管の先端の開口より押し出すことにより鉄線の先端を四方に拡開させながら地中に展開させることを特徴とする法面保護用アンカー。
【請求項２】
前記誘導キャップは、基端を円柱状としてその周面に雄ねじが形成され、先端に向って放物線状に先細りする曲線状部が延設され、基端の雄ねじにて前記アンカー管の先端に螺着されることを特徴とする請求項１に記載の法面保護用アンカー。
【請求項３】
前記鉄線は、前記スペース棒の外周面に沿って先端がアンカー管の先端周面の複数の開口にそれぞれ臨むように配すると共に、基端部の全周に結束テープが巻付けられてスペース棒に仮止めされていることを特徴とする請求項１に記載の法面保護用アンカー。
【請求項４】
法面若しくは法枠に支持板を介して定着され地中に挿入されるアンカーであって、先端周面に複数の切欠き部が形成され、該切欠き部と連通する曲線状部となる受け面を有する誘導キャップが先端に嵌め込まれる円筒状のアンカー外管と、該アンカー外管内に挿入される外周面に複数本の鉄線が配されたアンカー棒とよりなり、前記鉄線を誘導キャップの曲線状部の受け面に沿って前記アンカー外管の先端の切欠き部より押し出すことにより鉄線の先端を四方に拡開させながら地中に展開させることを特徴とする法面保護用アンカー。
【請求項５】
前記誘導キャップは、基端を円柱状とし先端に向って放物線状に先細りする曲線状部が延設されると共に、先端面にアンカー外管の先端周面に形成した複数の切欠き部にそれぞれ鉄線の先端が臨むようにスペーサー片を配置した円盤型のガイドリングを介在してアンカー外管内に挿入され、アンカー棒の先端に固定されることを特徴とする請求項４に記載の法面保護用アンカー。
【請求項６】
前記鉄線は、アンカー棒の外周面にスペーサーにより区画された複数の分割周面に複数本ごとに収容され、基端部の全周に結束テープが巻付けられてアンカー棒に仮止めされていることを特徴とする請求項４に記載の法面保護用アンカー。
【請求項７】
前記誘導キャップは、曲線状部となる受け面を波状に曲線加工されていることを特徴とする請求項１または４に記載の法面保護用アンカー。
【発明の詳細な説明】
【技術分野】
【０００１】
本発明は、法面に設置されたアンカー管の先端部より押し出されて地中で四方に枝状に広がる棒状補強材を備えた法面保護用アンカーに関する。
【背景技術】
【０００２】
我が国は国土の大半が山地で、地形が急峻な場所が多く、道路、鉄道、宅地などの用地造成工事が行われると、大きな切り土、盛り土、法面が出現することが多く、それらは梅雨や台風などの集中豪雨や地震を受けた場合、しばしば法面崩壊の事故が発生している。
一般に、法面保護工事には植生によって法面を覆う植生工事と、法面に何らかの構造物を施工する保護工事の２種類に大別できる。そして、保護工事としては、法面を覆って風化侵食を防止するモルタル吹付け、コンクリート張り、蛇籠などによる工事や落石防止の網や棚、土圧に抵抗するブロック積み、コンクリート法枠や井桁などの擁壁工事があり、また鉄筋等の棒状補強材（アンカーボルト又はロックボルト）を地中に挿入し、前記コンクリート法枠などと組み合わせるなどの補強材がもつ引っ張り抵抗力や曲げ抵抗力等により法面の崩壊を防ぐ工事がある。本発明は、棒状補強材を使用する法面安定化工法に用いる法面保護用アンカーに関するものである。
【０００３】
法面の安定化構造として、従来から地中に挿入したアンカーボルト又はロックボルトを支持体により法枠に定着させ、法面に固定することが一般的に行われている。例えば、特許文献１に示す法面安定化構造及び法面安定化工法を例示することができる。また、特許文献２に示す法面保護体構造は、アンカーボルト状の鋼棒を法枠の構造体中に形成した挿通孔に入れたパイプ中に収容する構成が示されるが、地山の凍上に対して鋼棒を隔離させることを目的としている。
【先行技術文献】
【特許文献】
【０００４】
【特許文献１】特開２００９−２４９８７９号公報
【特許文献２】特開２００１−３１１１４８号公報
【発明の概要】
【発明が解決しようとする課題】
【０００５】
アンカーボルト又はロックボルトからなる棒状補強材を用いた工法は、地中の岩石や土質、法面の勾配などに応じ、挿入する角度、深さ、本数の最適化と法枠などの併用により崩落防止が図れる良好な工法と言える。しかし、アンカーボルトなどの棒状補強材の形状はあくまで棒状であり、山林の斜面の樹木が四方に根を張り巡らせ、土の崩落を防いでいるようにしっかりと土中に広がり立体的に崩落を防止する機能は少なく、その欠点を本数増により対処しているのが現状であり、これを改善しようとするのが本発明の課題である。
【課題を解決するための手段】
【０００６】
上記目的を達成するため、請求項１記載の法面保護用アンカーは、先端周面に複数の開口が形成され、先端に曲線状部となる受け面を有する誘導キャップを固定した円筒状のアンカー管と、該アンカー管内に挿入される外周面に複数本の鉄線が配されたスペース棒とよりなり、前記鉄線を誘導キャップの曲線状部に沿ってアンカー管の先端の開口より押し出すことにより鉄線の先端を四方に拡開させながら地中に展開させることを特徴とする。
【０００７】
請求項２記載の法面保護用アンカーは、誘導キャップをして基端を円柱状としその周面に雄ねじが形成され、先端に向って放物線状に先細りする曲線状部が延設され、基端の雄ねじにてアンカー管の先端に螺着されることを特徴とする。
【０００８】
請求項３記載の法面保護用アンカーは、複数本の鉄線をスペース棒の外周面に沿って先端がアンカー管の先端周面の複数の開口にそれぞれ臨むように配すると共に、基端部の全周に結束テープが巻付けられてスペース棒に仮止めされることを特徴とする。
【０００９】
請求項４記載の法面保護用アンカーは、先端周面に複数の切欠き部が形成され、該切欠き部と連通する曲線状部となる受け面を有する誘導キャップが先端に嵌め込まれる円筒状のアンカー外管と、該アンカー外管内に挿入される外周面に複数本の鉄線が配されたアンカー棒とよりなり、前記鉄線を誘導キャップの曲線状部の受け面に沿って前記アンカー外管の先端の切欠き部より押し出すことにより鉄線の先端を四方に拡開させながら地中に展開させることを特徴とする。
【００１０】
請求項５記載の法面保護用アンカーは、請求項４に記載の法面保護用アンカーであって、誘導キャップをして基端を円柱状とし先端に向って放物線状に先細りする曲線状部が延設されると共に、先端面にアンカー外管の先端周面に形成した複数の切欠き部にそれぞれ鉄線の先端が臨むようにスペーサー片を配置した円盤型のガイドリングを介在してアンカー管内に挿入され、アンカー棒の先端に固定されることを特徴とする。
【００１１】
請求項６記載の法面保護用アンカーは、請求項４に記載の法面保護用アンカーであって、鉄線をアンカー棒の外周面にスペーサーにより区画された複数の分割周面に複数本ごとに収容すると共に、基端部の全周に結束テープが巻付けられてアンカー棒に仮止めされていることを特徴とする。
【００１２】
請求項７記載の法面保護用アンカーは、請求項１または請求項４に記載の法面保護用アンカーであって、前記誘導キャップの曲線状部となる受け面が波状に曲線加工されていることを特徴とする。
【発明の効果】
【００１３】
本発明によれば、アンカーボルトと同様にアンカーが地中に挿入された後、内蔵されている複数の鉄線をその先端部の開口や切欠き部から四方に押し出し拡開させて展開し地中に固定させることで、鉄線群は樹木の根のように地中に拡開し、強く法面や急斜面を保持しその崩落を防ぐことができる法面保護用アンカーを提供することができる。
【図面の簡単な説明】
【００１４】
【図１】本発明の法面保護用アンカーを用いた工法の概略を示す説明図である。
【図２】本発明の第１の実施例を示すアンカー管の断面図である。
【図３】同、アンカー管に挿入されるスペース棒の外周に鉄線が巻付けられた状態の斜視図である。
【図４】同、アンカー管に鉄線が組み込まれ、鉄線の先端がアンカー管の先端部の切欠き部より突出するようセットした状態の斜視図である。
【図５】同、アンカー管中に押し出し棒が圧入され、鉄線が先端の切欠き部から押し出される状態の断面図である。
【図６】同、アンカー管の基端に外付けキャップを装着した要部の断面図である。
【図７】同、アンカー管に螺装される誘導キャップの斜視図である。
【図８】本発明の第２の実施例を示すアンカーの断面図である。
【図９】同、アンカー外管の先端部を示し、外管の切欠き部より鉄線の先端が突出するようセットされた状態の斜視図である。
【図１０】同、アンカー外管に挿入されるアンカー棒の外周に鉄線が巻付けされた状態の斜視図である。
【図１１】同、図７のＡ−Ａ線断面図であり、アンカー外管の内部の構造を示す。
【図１２】同、誘導キャップの斜視図である。
【図１３】同、アンカー外管の先端部に装着されるガイドリングと鉄線の平面図である。
【図１４】同、誘導キャップとガイドリングの組み合わせを示す斜視図である。
【図１５】同、施工状態を示し、アンカー外管中に押し出し管が圧入され、鉄線の先端が切欠き部から地中に押し出される状態の断面図である。
【図１６】同、アンカー外管が引き抜かれアンカー棒と鉄線群が土中に残置された状態の説明図である。
【図１７】同、アンカー外管ごと土中に残置された状態の説明図である。
【発明を実施するための形態】
【００１５】
以下、本発明を図示する実施形態により具体的に説明する。図１は、本発明の法面保護用アンカーを用いた法面保護構造の概略を示し、棒状物であるアンカー１００（２００）が法面Ａの地中に挿入され、支持板Ｓにて法面又は法枠に固定され、アンカー１００（２００）の先端より内蔵された棒状補強材Ｂが押し出されて四方に拡開し、土中に根を張るように展開する状態を示す。
【００１６】
図２は第１の実施例であるアンカーの断面図であり、アンカー１００はアンカー管１とアンカー管１内に内蔵される棒状補強材である鉄線２及び該鉄線２を保持する中心棒たるスペース棒３から概ね構成されている。アンカー管１は円筒状を呈し、内周面１ａに４本の鉄線２がスペース棒３の外周に十字状に等間隔を置いて結束テープ４にて巻き付けられて挿入されており、先端部１ｂの周面には配された鉄線２が突出する４個の開口５が形成され、該開口５に臨むように鉄線展開用の誘導キャップ６が螺装され、アンカー管１の盲となっている。
尚、スペース棒３に配される鉄線２の数はアンカー管１の先端部１ｂに形成された開口５の数と対応し、設置される地中の状況や法面の勾配などに応じ、その数は任意に設定できる。
【００１７】
誘導キャップ６は図７に示すように、基端の円柱状の周面に雄ねじ６ａが形成され、対応するアンカー管１の先端部１ｂの内面の雌ねじ１ｃと螺合して固着される。また、誘導キャップ６は先端に向って放物線状に先細りする曲線状部６ｂが延設され、該曲線状部６ｂの受け面６ｄの基端部６ｃとアンカー管１の先端部の開口５端が連通している（図４参照）。
また、誘導キャップ６の曲線状部６ｂとなる受け面６ｄを、後述する第２の実施例の誘導キャップ６０のように（図１２参照）波状に形成しておくと、鉄線２は波状の曲面に沿ってそれぞれ違った方向に展開し、立体的に法面の保護が可能となる。
【００１８】
図中、７はアンカー管１の支持板で、アンカー管１が挿入される円形開口７ａを有し、外付けリング８にてアンカー管１は支持板７に固着され、図示しないが法枠に定着され、法面に固定されるようになっている。
【００１９】
上記の実施例ではアンカー管１、スペース棒３、誘導キャップ６、支持板７、外付けリング８は鉄製又はその合金等の金属を用い、線も同様であるが代表的な例として鉄線２としている。また、アンカー管１は３８ｍｍ径のシームレスの炭素鋼鋼管を用い、鉄線２は４ｍｍ径の硬鋼線又はなまし鉄線ものを４本としている。尚、スペース棒３は鉄線２を巻付け保持するものであるから鉄など金属製でも木製でもよい。
【００２０】
次に、作用を説明すると次の通りである。
先ず、円筒状のアンカー管１の内周面１ａに鉄線２を挿入するが、鉄線２は地中で展開すべき長さと管内に残す長さを加えた長さに予め切断してあり、曲がりをなくし直線状としている。鉄線２はアンカー管１に挿入する前に、スペース棒３の外周に十字状に鉄線２が取り巻くようにガムテープ等の結束テープ４を４本の鉄線２の後部に巻付けて仮止めし、鉄線２がスペース棒３よりばらけないようにする（図３参照）。スペース棒３の長さと結束テープ４を巻付ける長さは、施工時に鉄線２を押し出したときにアンカー管１内に残す長さかそれ未満とする。
【００２１】
次に、アンカー管１の基端開口１ｄよりスペース棒３に巻付いた鉄線２を挿入し、先端部１ｂの開口５に鉄線２の先端２ａが臨むように押し込む。このとき、結束テープ４により結束されていない鉄線２の先端２ａを少し外側に曲げて開口５より外に出しておく（図４参照）。この後、アンカー管１の先端部１ｂに鉄線展開用の誘導キャップ６をねじ込み固定し、アンカー管１の盲とする。
【００２２】
次に、上記のように準備されたアンカー管１を法面の地中に挿入し、内部に収容した鉄線２を地中に展開する作用を説明する。
先ず、アンカー管１を挿入する法面を所定深さまでボーリングして挿入穴Ｈを形成し、該挿入穴Ｈ中にアンカー管１を挿入し、アンカー管１と法面Ａの支持板７とを外付けリング８で固定し、アンカー管１が地中に埋没しないようにする（図５参照）。その後、押し出し棒９をアンカー管１中に挿入し、ハンマーで打設し或いはバックフォーなどの重機を用いて押し出し棒９をアンカー管１中に押し込む。この押し出し棒９は３０ｍｍ径の鉄棒を用い、使用後はアンカー管１より抜き取られる。
【００２３】
このように、恰もところてんを押し棒により箱から押し出すように、誘導キャップ６の受け面６ｄが放物線状の曲線状部６ｂとして形成されているため、鉄線２は後端部をハンマー等で打設されアンカー管１の先端部１ｂの開口５から押し出されるとき、誘導キャップ６の曲線状部６ｂの受け面６ｄに沿って外部（地中）に四方に拡開しながら展開する。こうして、アンカー管１より鉄線２が所定の長さ押し出された後に、押し出し棒９を引き抜くと法面Ａに対するアンカー管１の設置工事は完了する。尚、アンカー管１内部への水などの浸入を防止したい場合は、後述のモルタル注入によってもよいが外付けリング８を外し、代わりに外付けキャップ１３に付け替え固定してもよい（図６参照）。
【００２４】
図８は本発明の第２の実施例であるアンカー２００の断面図であり、第１の実施例と共通する部分は同一の符号を付している。アンカー２００はアンカー外管２０と該アンカー外管２０内に内蔵される鉄線２及び該鉄線２を保持するアンカー棒３０から概ね構成されている。アンカー外管２０は円筒状の内周面２０ａに、複数本（図示では１６本）の鉄線２が中心棒となるアンカー棒３０の外周に結束テープ４にて巻き付けられて挿入されて収容されている。アンカー棒３０の外周面には十字状に配置されたスペーサー３１が４本長さ方向に配され、該スペーサー３１により区画された分割周面３２が４列、長さ方向に平行に形成されており、鉄線２は該分割周面３２内に複数本（図示の実施例では４本）ごとに収容され、結束テープ４が鉄線２群を固定するためにアンカー棒３０の基端側３０ａの外周に鉄線２群を包むようにして巻付けられている（図９、図１０参照）。スペーサー３１と結束テープ４を巻付ける長さは、施工時に鉄線２を押し出したときにアンカー外管２０内に残す長さかそれ未満とする。
【００２５】
また、アンカー外管２０の先端部２０ｂの周面には複数個（図示の例では４個）の切欠き部５０が形成され、該切欠き部５０に臨むように鉄線展開用の誘導キャップ６０が螺装され、同時にアンカー外管２０の盲となっている。
尚、アンカー棒３０に配される鉄線２の数は上記の実施例に限定されることはなく、アンカー外管２０の先端部２０ｂの周面に形成された切欠き部５０の数や切欠き間口と対応し、更に、設置される地中の土質や法面の勾配などの状況に応じ任意に設定することができる。
【００２６】
誘導キャップ６０は図１１に図示のように基部６０ａは円筒状を呈し、先端に向って放物線状に先細りする曲線状部６０ｂを形成し、先細りした上端に形成した雄ねじ６０ｃにて前記アンカー棒３０の先端面３０ｂに形成された雌ねじ３０ｃと螺合し固定される。こうして誘導キャップ６０の曲線状部６０ｂの基端部の受け面６０ｄとアンカー外管２０の先端部２０ｂの切欠き部５０端が連通するように形成されている。
【００２７】
尚、誘導キャップ６０は曲線状部６０ｂの曲線加工において図１２に示すように、受け面６０ｄを波状とすると鉄線２は波状の曲面６０ｅに沿って少しずつではあるがそれぞれ違った方向に展開するため、地中にあってより立体的に法面の崩落防止効果が高められる。
【００２８】
７０は誘導キャップ６０の上端に固定される円盤状のガイドリングで、中央の円形開口縁に形成された取付けねじ穴７０ａの雌ねじに前記誘導キャップ６０の上面に突設の雄ねじ６０ｃが螺合して固定される。該ガイドリング７０は図１３に図示のように、十字状に突出するスペーサー片７１により４列に区画された外周面に４個の分割周面７２が形成され、前記中心棒となるアンカー棒３０の外周の分割周面３２に固定された４組の鉄線２群の先端が嵌り込むように形成されている。尚、スペーサー片７１は前記アンカー棒３０に配置されるスペーサー３１と軸方向にそれぞれ対向するようにガイドリング７０に突設されている。
【００２９】
従って、アンカー棒３０の外周に配されるスペーサー３１とガイドリング７０のスペーサー片７１は前記のように必ずしも十字状に配置することに限定されることはなく、三角形状或いは五角形状など配される鉄線２の数に相応して任意に設定することができる。
即ち、ガイドリング７０はアンカー外管２０の先端部の複数の切欠き部５０より鉄線２群が支障なく外部に突出するよう誘導するために介装されており、スペーサー片７１が鉄線２群の配置位置を規制する役割を担っている。
【００３０】
上記の第２の実施例でもアンカー外管２０、アンカー棒３０、誘導キャップ６０、支持板７、外付けリング８、ガイドリング７０は鉄製又はその合金などの金属を用い、線も代表例として鉄線２としている。また、アンカー外管２０は４８．６ｍｍ径のシームレス炭素鋼鋼管を用い、アンカー棒３０は３０ｍｍ径の鉄棒を用い、鉄線２は４ｍｍ径の鋼線又はなまし鉄線を用いている。
【００３１】
次に、この第２の実施例の作用を説明する。
先ず、地中で展開する鉄線２群の数と長さを前記の実施例１と同様に決め、鉄線を直線状に延ばしておく。図示の実施例では４本ずつの鉄線２を１組とした４組の鉄線群に分けてアンカー棒３０に取り付けられる。鉄線２群をきっちり収容するためアンカー棒３０の外周の４箇所にスペーサー３１を介在させ、該スペーサー３１により区画された分割周面３２に鉄線２群を収容し、回りをガムテープ等の結束テープ４で巻き付ける（図９、図１０参照）。
【００３２】
次に、鉄線２群が巻付いたアンカー棒３０をアンカー外管２０の基端開口２０ｄよりアンカー外管２０内に挿入し、先端部２０ｂの切欠き部５０から鉄線２群の先端２ａを少し外に出す。その後、ガイドリング７０の分割周面７２にそれぞれ４組の鉄線２群が入るようにセットし、ガイドリング７０を挟み込む形で鉄線群の展開用の誘導キャップ６０をアンカー棒３０の先端面３０ｂにねじ込んで固定する。
【００３３】
このようにしてアンカー棒３０と鉄線２群が組み込まれたアンカー外管２０を地中に挿入する作業は前記の実施例１と同様に、ボーリング等により法面Ａに穿設した挿入孔Ｈにアンカー外管２０を挿入し、支持板７の開口部にアンカー外管２０を通して地表に置き、支持板７の固定用の外付けリング８をアンカー外管２０の基端部１ｄにねじ込み、アンカー外管２０が地中に埋設しないように固定する。
【００３４】
次に、別途用意された押し出し管１０をアンカー外管２０とアンカー棒３０の間の隙間に差し込み、該押し出し管１０の管内に金属製の継ぎ足し棒１２を挿入し、アンカー棒３０の先端面に形成のねじ孔３０ｄに継ぎ足し棒１２の先端の雄ねじ１２ａをねじ込んで取り付ける（図１４参照）。押し出し管１０は３８ｍｍ径で３ｍｍ厚の鋼管で、基部１０ａに取付け板１１を一体に固定している。該取付け板１１は中央に前記押し出し管１０の内周の径と同等な円形開口１１ａを備え、前記継ぎ足し棒１２が挿入できるように形成されている。
【００３５】
尚、継ぎ足し棒１２を用いるのは、アンカー外管２０は支持板７に固定されるがアンカー棒３０は固定されず、押し出し管１０を圧入するとき地中に入り込んでしまうおそれがあるため、継ぎ足し棒１０を接続してその基端をワイヤー等に結び引っ張るようにする必要があるためである。
【００３６】
鉄線２の展開操作は重機を用い、継ぎ足し棒１２の取っ手１２ａをワイヤー（図示略）で固定して、重機のバケット部などを使用して押し出し管１０をアンカー外管２０中に押し込んで鉄線２群を誘導キャップ６０の曲線状部６０ｂの受け面６０ｄに沿ってアンカー外管２０の先端の開口５０ａより地中に押し出させる。押し出された鉄線２は、アンカー外管２０の先端の開口５０ａと誘導キャップ６０の曲線状部６０ｂに沿って曲線状に癖つけされ、開口５０ａより四方に拡開され地中に展開する。押し出し管１０の基部の取付け板１１は、重機のバケット部を受け、押し出し管１０をアンカー外管２０中に円滑に押し込むために設けられている。
【００３７】
こうして、所定長さの鉄線２を押し出した後、継ぎ足し棒１２を外し、押し出し管１０と支持板７をアンカー外管２０と共に地中より引き抜くことで工事は完了となる（図１５参照）。また、押し出し管１０を引き抜く場合、アンカー外管２０と支持板７は引き抜かずに地中に残置してもよい（図１６参照）。尚、支持板７とアンカー管１を残置せずに引き抜くことで次段の作業に繰り返し使用することができ、経済性を確保することができる。
【００３８】
また、図１５の例のようにアンカー管１と支持板７を地中より引き抜き、アンカー棒３０が拡開して展開する鉄線２群と共に地中に残置する場合や、図１６の例のように拡開して展開する鉄線２群と共にアンカー外管２０と支持板７を地中に残置する場合、法面に穿設した挿入穴Ｈとの空間部、或いはアンカー外管２０の内部にモルタルなどを注入して固め、一体化するのが望ましい。
【００３９】
一方で、第１の実施例及び第２の実施例において共通するが、アンカー管１又はアンカー外管２０やスペース棒３またはアンカー棒３０と挿入穴Ｈとの間に空間を残しておくと豪雨時など地中に水が浸透し、それが鉄砲水となり斜面に吹き出ると同時に斜面の崩壊を起すことが危惧されるが、その場合に地中で枝分かれした鉄線２、アンカー管１またはアンカー外管２０やスペース棒３またはアンカー棒３０の周りの空間やアンカー管１またはアンカー外管２０の管内を伝わって水を排出させ、崩落を防止する効果も併せ期待できる。
【００４０】
また、使用する材料の材質は各種金属が使用可能であるが、通常の土質には主に鉄が適している。しかし、酸性土壌など鉄が腐食し易い土質の場合にはステンレス鋼やアルミ合金等の材質のものを使用するのが望ましい。
【００４１】
第１の実施例の場合、展開させる鉄線の数がアンカー管の先端の開口の数により制限されるが操作が容易であるので比較的小規模な工事に適している。一方、第２の実施例の場合は、展開する鉄線の数がアンカー棒の径に比べて増加でき、地中で多数拡開させることで操作に手間がかかる面はあるが、崩壊防止効果はより高く、中規模以上の工事に適している。
【符号の説明】
【００４２】
１００、２００  アンカー
１    アンカー管
２    鉄線
３    スペース棒
４    結束テープ
５    開口
５０    切欠き部
６、６０    誘導キャップ
６ａ  雄ねじ
６ｂ、６０ｂ  曲線状部
６ｄ、６０ｄ  受け面
６０ｅ  波状の曲面
７    支持板
８    外付けリング
２０  アンカー外管
３０  アンカー棒
３１  スペーサー
３２  分割周面
７０  ガイドリング
７１  ガイドリングのスペーサー片
７２  ガイドリングの分割周面
【図１】
2013241733.tif 000003
【図２】
2013241733.tif 000004
【図３】
2013241733.tif 000005
【図４】
2013241733.tif 000006
【図５】
2013241733.tif 000007
【図６】
2013241733.tif 000008
【図７】
2013241733.tif 000009
【図８】
2013241733.tif 000010
【図９】
2013241733.tif 000011
【図１０】
2013241733.tif 000012
【図１１】
2013241733.tif 000013
【図１２】
2013241733.tif 000014
【図１３】
2013241733.tif 000015
【図１４】
2013241733.tif 000016
【図１５】
2013241733.tif 000017
【図１６】
2013241733.tif 000018
【図１７】
2013241733.tif 000019